(57)【要約】【課題】光損失を少なく光ファイバを保持すると共に少なくとも一端から捩れずに容易に光ファイバを引き出すことのできる光ファイバ収納具および光ファイバの収納方法を提供する。【解決手段】光ファイバ１００の巻き付けが可能な一対の巻付け部１２ａ、１２ｂと、この一対の巻付け部１２ａ、１２ｂをその軸線がほぼ平行になるように保持可能な基板１１と、一対の巻付け部１２ａ、１２ｂの間で交差するように当該一対の巻付け部１２ａ、１２ｂに８の字状に捩れないように巻きつけられた光ファイバ１００の少なくとも交差部分を挟持・解放自在な光ファイバ固定手段１４とを備えている。このような光ファイバ収納具１０では、光ファイバ１００を一対の巻付け部１２ａ、１２ｂに、捩れないように８の字状に巻きつけて、解けないように固定手段１４により適宜固定することができるので、光ファイバ１００に捩れ負荷を与えないように収納することができる。【選択図】　　　　図１
2004037821.tif 000002
【特許請求の範囲】
【請求項１】
光ファイバを交差させて８の字状に巻き付けが可能なほぼ円形断面をした一対の巻付け部と、前記一対の巻付け部をその軸線がほぼ平行になるように保持可能な基板と、前記８の字状に巻き付けられた光ファイバを挟持・解放自在とする光ファイバ固定手段とを備えることを特徴とする光ファイバ収納具。
【請求項２】
前記光ファイバ固定手段は、前記一対の巻付け部の間で交差している前記光ファイバを挟持・解放自在とする固定手段であることを特徴とする請求項１に記載した光ファイバ収納具。
【請求項３】
前記基板の表裏両面に前記一対の巻付け部をそれぞれ設けたことを特徴とする請求項１または２に記載した光ファイバ収納具。
【請求項４】
前記基板の表裏両面に設けられた前記一対の巻付け部が、前記基板を挟んで対称の位置に設けられ、前記基板に前記光ファイバが貫通可能な光ファイバ通過部を設けたことを特徴とする請求項３に記載した光ファイバ収納具。
【請求項５】
前記巻付け部が前記基板の片側面にのみ設けられ、前記基板を特定部位に固定する固定手段を設けたことを特徴とする請求項１または２に記載した光ファイバ収納具。
【請求項６】
前記固定手段が、前記固定手段の裏面と前記特定部位の表面に設けられた互いに嵌合し固定および分離可能な凹部と凸部の組み合わせであることを特徴とする請求項５に記載した光ファイバ収納具。
【請求項７】
前記固定手段が、前記固定手段の裏面に設けられた粘着部材であることを特徴とする請求項５に記載した光ファイバ収納具。
【請求項８】
前記粘着部材が、剥離自在なシート材で覆われていることを特徴とする請求項７に記載した光ファイバ収納具。
【請求項９】
前記基板に、前記基板の一端から切り込まれた切り欠き部が形成された請求項５から８のいずれか１項に記載した光ファイバ収納具を２つ用いて、前記基板の裏面同士重ねたときに前記切欠き部どうしが重なって前記光ファイバが貫通可能な光ファイバ通過部が形成されることを特徴とする１組の光ファイバ収納具。
【請求項１０】
前記巻付け部は、根元側と比べて先端側が小径となるように形成されていることを特徴とする請求項１から９のいずれか１項に記載した光ファイバ収納具。
【請求項１１】
前記ファイバ通過部では、少なくとも前記光ファイバが接触する部分が湾曲面で形成されていることを特徴とする請求項４または９に記載した光ファイバ収納具。
【請求項１２】
光ファイバ収納具における基板上の同じ側面に所定間隔離れてほぼ平行に設けられているほぼ円形断面の一対の巻付け部に、当該一対の巻付け部間において交差する８の字状に光ファイバを捻れないように巻き付け、少なくとも交差部分において前記光ファイバを挟持・固定することを特徴とする光ファイバの収納方法。
【請求項１３】
１本の光ファイバを収納するために前記光ファイバ収納具を２個用い、各光ファイバ収納具の前記基板を光ファイバが貫通した状態で各基板の裏面同士を結合し、あるいは各光ファイバ収納具の前記基板の裏面同士を結合した後に光ファイバをもって当該各基板を貫通させ、各側の光ファイバを各側の前記一対の巻付け部に巻きつけることを特徴とする請求項１２に記載した光ファイバの収納方法。
【発明の詳細な説明】
【０００１】
【発明の属する技術分野】
この発明は、捻れないように光ファイバを収納する光ファイバ収納具および光ファイバの収納方法に関する。
【０００２】
【従来の技術】
従来より、光ファイバを収納する際には、図８に示すように、光ファイバ１００が捻れないように８の字状に巻くことが、行われている。従って、光ファイバ１００の束１０１から光ファイバ１００を引き出す際には、８の字ごとに引き出すことにより、光ファイバ１００は捻れずに真っ直ぐに引き出すことができる。
【０００３】
【発明が解決しようとする課題】
しかしながら、８の字形状の光ファイバ１００は治具等によって保持されているわけではないので、８の字形状を保持するのが困難であるという問題がある。また、光ファイバ１００を両端から引き出す際には、光ファイバ１００の束１０１が重なっているため、特に下になっている側の端部から光ファイバ１００を引き出すのが困難であるという問題もある。さらに、光ファイバ１００は、光損失が増加しない許容曲げ半径（例えば半径３０ｍｍ）以上を確保しなければならないため、収納スペースが大きくなるという問題がある。
【０００４】
本発明は、前述した問題点に鑑みてなされたものであり、その目的は、光損失を少なく保持すると共に少なくとも一端から容易に引き出すことのできる光ファイバ収納具および光ファイバの収納方法を提供することにある。
【０００５】
【課題を解決するための手段】
前述した目的を達成するために、本発明にかかる光ファイバ収納具は、請求項１に記載したように、光ファイバを交差させて８の字状に巻き付けが可能なほぼ円形断面をした一対の巻付け部と、前記一対の巻付け部をその軸線がほぼ平行になるように保持可能な基板と、前記８の字状に巻き付けられた光ファイバを挟持・解放自在とする光ファイバ固定手段とを備えることを特徴としている。
【０００６】
このように構成された光ファイバ収納具においては、光ファイバを一対の巻付け部に、捩れないように８の字状に巻きつけて、解けないように固定手段により適宜固定することができるので、光ファイバに捩れ負荷を与えないように収納することができる。
【０００７】
また、本発明にかかる光ファイバ収納具は、請求項２に記載したように、請求項１に記載した光ファイバ収納具において、前記光ファイバ固定手段は、前記一対の巻付け部の間で交差している前記光ファイバを挟持・解放自在とする固定手段であることを特徴としている。
【０００８】
このように構成された光ファイバ収納具においては、光ファイバの捻れ方向が逆になる交差部分で光ファイバを挟持固定することができ、８の字状に巻き付けられた光ファイバの解放を規制することができる。
【０００９】
また、本発明にかかる光ファイバ収納具は、請求項３に記載したように、請求項１または２に記載した光ファイバ収納具において、前記基板の表裏両面に前記一対の巻付け部をそれぞれ設けたことを特徴としている。
【００１０】
また、本発明にかかる光ファイバ収納具は、請求項４に記載したように、請求項３に記載した光ファイバ収納具において、前記基板の表裏両面に設けられた前記一対の巻付け部が、前記基板を挟んで対称の位置に設けられ、前記基板に前記光ファイバが貫通可能な光ファイバ通過部を設けたことを特徴としている。
【００１１】
また、本発明にかかる光ファイバ収納具は、請求項５に記載したように、請求項１または２に記載した光ファイバ収納具において、前記巻付け部が前記基板の片側面にのみ設けられ、前記基板を特定部位に固定する固定手段を設けたことを特徴としている。
【００１２】
また、本発明にかかる光ファイバ収納具は、請求項６に記載したように、請求項５に記載した光ファイバ収納具において、前記固定手段が、前記固定手段の裏面と前記特定部位の表面に設けられた互いに嵌合し固定および分離可能な凹部と凸部の組み合わせであることを特徴としている。
【００１３】
また、本発明にかかる光ファイバ収納具は、請求項７に記載したように、請求項５に記載した光ファイバ収納具において、前記固定手段が、前記固定手段の裏面に設けられた粘着部材であることを特徴としている。
【００１４】
また、本発明にかかる光ファイバ収納具は、請求項８に記載したように、請求項７に記載した光ファイバ収納具において、前記粘着部材が、剥離自在なシート材で覆われていることを特徴としている。
【００１５】
また、本発明にかかる光ファイバ収納具は、請求項９に記載したように、前記基板に、前記基板の一端から切り込まれた切り欠き部が形成された請求項５から８のいずれか１項に記載した光ファイバ収納具を２つ用いて、１組の光ファイバ収納具とし、前記基板の裏面同士重ねたときに前記切欠き部どうしが重なって前記光ファイバが貫通可能な光ファイバ通過部が形成されることを特徴としている。
【００１６】
また、本発明にかかる光ファイバ収納具は、請求項１０に記載したように、請求項１から９のいずれか１項に記載した光ファイバ収納具おいて、前記巻付け部は、根元側と比べて先端側が小径となるように形成されていることを特徴としている。
【００１７】
また、本発明にかかる光ファイバ収納具は、請求項１１に記載したように、請求項４または９に記載した光ファイバ収納具において、前記ファイバ通過部では、少なくとも前記光ファイバが接触する部分が湾曲面で形成されていることを特徴としている。
【００１８】
また、本発明にかかる光ファイバの収納方法は、請求項１２に記載したように、光ファイバ収納具における基板上の同じ側面に所定間隔離れてほぼ平行に設けられている一対の巻付け部に、当該一対の巻付け部間において交差する８の字状に光ファイバを捻れないように巻き付け、少なくとも交差部分において前記光ファイバを挟持・固定することを特徴としている。
【００１９】
また、本発明にかかる光ファイバの収納方法は、請求項１３に記載したように、請求項１２に記載した光ファイバの収納方法において、１本の光ファイバを収納するために前記光ファイバ収納具を２個用い、各光ファイバ収納具の前記基板を光ファイバが貫通した状態で各基板の裏面同士を結合し、あるいは各光ファイバ収納具の前記基板の裏面同士を結合した後に光ファイバをもって当該各基板を貫通させ、各側の光ファイバを各側の前記一対の巻付け部に巻きつけることを特徴としている。
【００２０】
【発明の実施の形態】
以下、本発明に係る光ファイバ収納具および光ファイバの収納方法の実施の形態を図面に基づいて詳細に説明する。なお、以下に説明する実施の形態において、既に図８において説明した部材等については、図中に同一符号あるいは相当符号を付すことにより説明を簡略化あるいは省略する。
【００２１】
図１には、本発明にか係る光ファイバ収納具および光ファイバの収納方法の第１実施形態が示されている。図１に示すように、本発明に係る実施形態である光ファイバ収納具１０は、基板１１の一方の面上に、光ファイバ１００の巻き付けが可能なほぼ円形断面をした一対の巻付け部１２ａ、１２ｂが、各巻付け部１２ａ、１２ｂの軸線１３ａ、１３ｂがほぼ平行になるように取り付けられている。各巻付け部１２ａ、１２ｂは、内部が空間の円筒状でもよいし、円柱状でもよいが、基端部の外径よりも先端部の外径を小さくするのがよい。巻付け部１２ａ、１２ｂの外径は、通常光ファイバ１００を曲げても光損失が増加しない径である６０ｍｍ以上とするのがよい。
なお、小さな径で曲げることのできる特殊な光ファイバを使用すると、巻付け部１２ａ、１２ｂの外径をさらに小さくするができるので、光ファイバ収納具１０の小型化を図ることができる。また、断面円形状に限らず、楕円形状でもよい。また、中央側が尖って外側の端部がほぼ円形状の水滴状でもよい。
【００２２】
各巻付け部１２ａ、１２ｂの間は、巻きつける光ファイバ１００の量に応じて間隔が設けられている。すなわち、長い光ファイバ１００を収納する場合には、巻付け部１２ａ、１２ｂの間を何度も通過することになるので、隙間を大きく設定する必要がある。また、両巻付け部１２ａ、１２ｂの間に押し込むことにより、巻きつけられている光ファイバ１００が外れないように抑える光ファイバ固定手段としてのコマ１４が着脱自在に設けられている。
なお、コマ１４は弾性部材で形成するのがよい。また、光ファイバ１００の両端１００ａ、１００ｂには、各々コネクタ１５を取り付けておくのがよい。また、巻付け部１２ａ、１２ｂから引き出されない方の端部１００ｂまでの長さは、光ファイバ１００を巻きつける前に設定しておく必要がある。さらに、光ファイバ固定手段としては、両光ファイバ巻付け部１２ａ、１２ｂの間に嵌め込まれるコマ１４の代わりに、光ファイバ１００を把持・固定するクランプのようなものでもよい。
また、光ファイバ１００を把持・固定する場所は、コマ１４による光ファイバ１００の交差するところに限定されない。例えば、円筒状の固定手段を用いて、巻き付け１２ａ、１２ｂに被せて光ファイバ１００を固定することもでき、また、光ファイバ１００をテープ等により固定することもできる。更に、光ファイバ１００を張力がかかるように巻き付け部１２ａ、１２ｂに巻き付けたときは、固定手段がいらない。
【００２３】
従って、光ファイバ収納具１０に光ファイバ１００を収納するには、両巻付け部１２ａ、１２ｂの間で交差する８の字を描くように、光ファイバ１００を捩れないように両巻付け部１２ａ、１２ｂに交互に巻きつける。光ファイバ１００を巻きつけ終わったら、両巻付け部１２ａ、１２ｂの間にコマ１４を押込んで光ファイバ１００が解けないように固定する。ここで、光ファイバ１００は円形断面の巻付け部１２ａ、１２ｂに巻きつけられるので、巻付け部１２ａ、１２ｂの外径よりも大きな半径で巻きつけられることになる。このため、光損失を増加させないで光ファイバ１００を収納することができる。
【００２４】
一方、光ファイバ１００を所望の長さ取り出して使用する場合には、光ファイバ１００が巻き付けられた光ファイバ収納具１０を所望の場所に持ち運び、コマ１４を取り外して、光ファイバ１００を真っ直ぐに引き出す。このとき、光ファイバ１００は捻れない状態で巻付け部１２ａ、１２ｂに巻きつけられているので、光ファイバ１００を真っ直ぐに引き出しても光ファイバ１００はよじれない。また、巻付け部１２ａ、１２ｂを、基端部の外径よりも先端部の外径を小さくしているので、光ファイバ１００を容易に取り出すことができる。所望の長さだけ引き出したら、再びコマ１４を両巻付け部１２ａ、１２ｂ間に押込んで、残りの光ファイバ１００をくずれないように固定する。これにより、光ファイバ１００をもつれることなく使用することができる。
【００２５】
図２には、前述した光ファイバ収納具１０をフロア配線に用いている状態が示されている。光ファイバ収納具１０の基板１１の裏面には、固定手段の一例である粘着部材１６が取り付けられており、この粘着部材１６を介して特定部位の一例であるフロア１７に取り付けられている。なお、粘着部材１６は、使用前は薄利自在なシート材で覆われている。また、接着剤を用いたり、基板１１の裏面とフロア１７とに互いに嵌合する凹部または凸部を設けておき、両者を嵌合させることにより取り付けるようにしてもよい。
【００２６】
光ファイバ１００の端部１００ａ、１００ｂに設けられているコネクタ１５ａ、１５ｂは、一方のコネクタ１５ａは外部との接続コネクタ１８に接続し、他方のコネクタ１５ｂをパソコン１９等の電子機器に接続している。ここでは、接続コネクタ１８に接続されるコネクタ１５ａまでの光ファイバ１００の長さは予め設定しておき、光ファイバ収納具１０からパソコン１９までの長さは、距離に応じて巻付け部１２ａ、１２ｂから引き出して使用する。このため、パソコン１９の位置にかかわらず、光ファイバ１００の長さを調整して接続することができる。あるいは、光ファイバ収納具１０からパソコン１９までの長さを予め設定しておき、接続コネクタ１８からパソコン１９までの長さについては、光ファイバ収納具１０から必要な長さの光ファイバ１００を引き出すようにすることもできる。なお、図２においては、２個の光ファイバ収納具１０を用いた例を示したが、数は限定するものではない。
【００２７】
図３には、第２実施形態にかかる光ファイバ収納具３０が示されている。なお、以下の説明において、すでに図１、図２または図８において説明した部位と共通する部位については、同じ符号を付して、重複する説明は省略することとする。
図３に示すように、基板１１を直角に貫通して一対の円筒部材３１、３２がほぼ平行になるように取り付けられており、基板１１の表裏両面上に各々一対の表側巻付け部３３ａ、３３ｂおよび裏側巻付け部３４ａ、３４ｂが突出して設けられている。従って、表側巻付け部３３ａ、３３ｂと裏側巻付け部３４ａ、３４ｂは、基板１１を挟んで対称な位置に位置することになる。表側巻付け部３３ａ、３３ｂと裏側巻付け部３４ａ、３４ｂとの間には所定の間隔が設けられており、この間隔内に光ファイバ通過部である貫通穴３５が設けられている。なお、貫通穴３５の縁は、光ファイバ１００が急激に曲げられないように湾曲状に縁取りされており、光ファイバ１００に過度な接触圧がかからないようにしている。
【００２８】
従って、光ファイバ収納具３０に光ファイバ１００を収納するには、まず光ファイバ１００を貫通穴３５に通して、基板１１の表側の収納具である表側巻付け部３３ａ、３３ｂに収納する予定の長さの光ファイバ１００が基板１１の表面側に出るようにする。ついで、前述したようにして、表側巻付け部３３ａ、３３ｂに光ファイバ１００を８の字状に巻きつけて、コマ１４ａにより中央の交差部の光ファイバ１００を固定する。次に、基板１１の裏側にある光ファイバ１００を、前述の表側巻付け部３３ａ、３３ｂと同様にして裏側巻付け部３４ａ、３４ｂに巻付け、コマ１４ｂで光ファイバ１００を固定する。
【００２９】
一方、光ファイバ収納具３０に収納されている光ファイバ１００を使用する際には、表側のコマ１４ａまたは裏側のコマ１４ｂあるいは両方のコマ１４ａ、１４ｂを取り外して、光ファイバ１００を取り出し可能にする。各々必要な長さだけ光ファイバ１００を取り出して、再びコマ１４ａ、１４ｂを取付けて光ファイバ１００を固定する。従って、この光ファイバ収納具３０では、容易に光ファイバ１００の両端から所望の長さの光ファイバ１００を捩れないように取り出すことができる。
【００３０】
図４には、図３に示した光ファイバ収納具３０の変形例である光ファイバ収納具３０ａが示されている。この光ファイバ収納具３０ａでは、光ファイバ通過部の一例である貫通穴３５の代りに基板１１の端面１１ａから中央部までスリット３６が設けられている。スリット３６の幅は光ファイバ１００が十分通過できる大きさであり、スリット３６の端部３６ａが前述した貫通穴３５の位置に相当する。なお、前述した貫通穴３５と同様に、スリット３６の縁も湾曲状に縁取りされている。
【００３１】
このように、貫通穴３５の代わりに基板１１の端面１１ａからスリット３６を設けることにより、例えば表側巻付け部３３ａ、３３ｂに光ファイバ１００を収納した後に裏側巻付け部３４ａ、３４ｂに光ファイバ１００を巻きつける際に、裏側の光ファイバ１００ｂを全部貫通穴３５に通さねばならないという面倒がなくなる。すなわち、裏側の光ファイバ１００の基端部をスリット３６に通すだけでよいので、収納作業が容易になる。また、表側巻付け部３３ａ、３３ｂおよび裏側巻付け部３４ａ、３４ｂを単に光ファイバ１００の方向変換に用いることもできる。この場合には、光ファイバ１００を小さな曲率半径で曲げることなく直角に方向変換することができるので、光損失を低減することができる。あるいは、任意の角度に方向変換することも可能である。
【００３２】
図５には、基板１１の表裏両面に巻付け部３３ａ、３３ｂ、３４ａ、３４ｂを有する光ファイバ収納具３０をフロア１７等に固定する方法が示されている。基板１１の上側には、表側巻付け部３３ａ、３３ｂとの干渉を避けて基板１１の上に重ねるために、表側巻付け部３３ａ、３３ｂが貫通可能な一対の切欠き３７を有する抑え板３８を設ける。基板１１の下側には、裏側巻付け部３４ａ、３４ｂとの干渉を避けるために、裏側巻付け部３４ａ、３４ｂが収納可能な一対の凹部３９を有する受け部材４０を設ける。受け部材４０の両端部には、固定手段としてのネジ４１により取り付けるための切欠き４２が設けられている。
【００３３】
フロア１７へ光ファイバ収納具３０を取り付ける際には、まず受け部材４０の切欠き４２をネジ４１によってフロア１７に固定し、この受け部材４０の凹部３９に裏側巻付け部３４ａ、３４ｂを嵌め込む。さらに、抑え板３８の切欠き３７に表側巻付け部３３ａ、３３ｂを嵌め込むようにして抑え板３８を光ファイバ収納具３０の上からかぶせる。なお、抑え板３８と光ファイバ収納具３０との間、および光ファイバ収納具３０と受け部材４０との間は、接合するための例えば凹部と凸部の組み合わせや、粘着部材等が設けられている。
従って、光ファイバ収納具３０の基板１１に対して両側に光ファイバ巻付け部３３ａ、３３ｂ、３４ａ、３４ｂが設けられている場合でも、フロア１７等に取り付けることができる。
【００３４】
なお、抑え板３８を図６（Ａ）に示すような形状の抑え板４３としたり、受け部材４０を図６（Ｂ）に示すような形状の受け部材４４とすることもできる。すなわち、抑え板４３は、切欠き３７部分から外側を切除したものであり、受け部材４４は、凹部３９の代わりに切欠き４５を設けると共に、ネジ４１止め用の切欠き４２の位置を９０度ずらしたものである。
この場合には、各部材４３、４４をより小さくすることができるので、コストダウンを図ることができる。
【００３５】
図７（Ａ）、（Ｂ）には、本発明の第３実施形態に係る光ファイバ収納具７０が示されている。なお、以下の説明において、すでに図１から図６または図８において説明した部位と共通する部位については、同じ符号を付して、重複する説明は省略することとする。
【００３６】
図７（Ａ）に示すように、この光ファイバ収納具７０では、２組の同じ形状をした光ファイバ収納具７０ａ、７０ｂが用いられている。両光ファイバ収納具７０ａ、７０ｂは、共に基板１１の表面に一対の円筒形状の光ファイバ巻付け部１２ａ、１２ｂを有しており、各基板１１の裏面には接合用の凹部７１と凸部７２が設けられている。凹部７１と凸部７２は、例えば基板１１の裏面の四隅において、一方の対角線には凹部７１を設け、他方の対角線には凸部７２が設けられている。これにより、まったく同じ光ファイバ収納具７０ａ、７０ｂを、凹部７１と凸部７２に組み合わせによって接合して光ファイバ収納具７０とすることができる。
【００３７】
また、図７（Ｂ）に示すように、基板１１の上下方向（図７（Ａ）において上下方向）中央位置には、光ファイバ１００が通過できる光ファイバ通過部の一例としての切欠き７３が基板１１の側端面１１ａから中央まで設けられている。従って、基板１１の裏面同士を合わせた状態では、切欠き７３の先端が重なって開口７３ａが形成され、この開口７３ａが前述した貫通穴３５として機能する。
【００３８】
光ファイバ１００を光ファイバ収納具７０に収納する際には、まず両光ファイバ収納具７０ａ、７０ｂの切欠き７３に光ファイバ１００を通した後、両基板１１の裏面同士を接合する。このとき、互いに嵌合する接合用の凹部７１および凸部７２が、対角線上に設けられているので、切欠き７３を図７（Ｂ）に示すように互いに反対向きとなるようにすると、両基板１１の裏面の凹部７１と凸部７２が互いに対向して接続可能になる。その後、両光ファイバ収納具７０ａ、７０ｂの光ファイバ巻付け部１２ａ、１２ｂに光ファイバ１００を捩れないように８の字状に巻きつける。なお、その後、表裏両側の光ファイバ１００をコマ１４で固定する。
【００３９】
この光ファイバ収納具７０では、同じものである一対の光ファイバ収納具７０ａ、７０ｂを背中合わせにして使用しているので、製作が容易であると共に光ファイバ１００の収納量を増加させることができる。また、先端が重なって貫通穴３５を構成するような切欠き７３を設け、この切欠き７３を通して光ファイバ１００を貫通穴に通すので、光ファイバ１００を容易に通すことができる。
【００４０】
以上、前述した光ファイバ収納具１０、３０、７０および光ファイバの収納方法によれば、光ファイバ１００は少なくとも光ファイバ巻付け部１２ａ、１２ｂ…の外径よりも大きな径で巻きつけられるので、小さな半径で曲げることにより生じる光損失を少なくすることができる。また、光ファイバ１００の一端あるいは両端を捩ることなく容易に引き出すことができる。また、光ファイバ１００を所望の長さだけ引き出して、コマ１４により固定するので、光ファイバ１００が解けるのを防止して所望の場所に容易に運ぶことができる。
【００４１】
なお、本発明の光ファイバ収納具および光ファイバの収納方法は、前述した各実施形態に限定されるものでなく、適宜な変形、改良等が可能である。
本発明に係る光ファイバ収納具は、上記実施の形態で用いた光ファイバ以外に、複数の光ファイバを並べて一括被覆をしたテープ心線や、光ファイバの外周に抗張力繊維や外皮を施した光コードにも適用することができる。
【００４２】
【発明の効果】
以上、説明したように、本発明にかかる光ファイバ収納具および光ファイバの収納方法によれば、光ファイバを一対の巻付け部に、捩れないように８の字状に巻きつけて、解けないように固定手段により適宜固定することができるので、光ファイバに捩れ負荷を与えないように収納することができると共に、所望の場所において、所望の長さだけ引き出して使用することができる。
【図面の簡単な説明】
【図１】本発明に係る光ファイバ収納具および光ファイバの収納方法の第１実施形態を示す斜視図である。
【図２】光ファイバ収納具をフロアに取り付けて使用している状態を示す斜視図である。
【図３】本発明に係る光ファイバ収納具および光ファイバの収納方法の第２実施形態を示す斜視図である。
【図４】図３の変形例である。
【図５】図３に示されている光ファイバ収納具をフロアへ取り付ける取付け方法をしめす組立図である。
【図６】（Ａ）および（Ｂ）は、図５の変形例を示す斜視図である。
【図７】（Ａ）は本発明に係る光ファイバ収納具および光ファイバの収納方法の第３実施形態を示す斜視図であり、（Ｂ）は切欠きの説明図である。
【図８】従来の光ファイバ収納方法を示す説明図である。
【符号の説明】
１０、３０、７０　光ファイバ収納具
１１　基板
１２ａ、１２ｂ、３３ａ、３３ｂ、３４ａ、３４ｂ　巻付け部
１４　コマ（光ファイバ固定手段）
１６　粘着部材（固定手段）
１７　フロア（特定部位）
３５　貫通穴（光ファイバ通過部）
４１　ネジ（固定手段）
７１　凹部
７２　凸部
７３　切欠き（光ファイバ通過部）
７３ａ　開口
１００　光ファイバ
【図１】
2004037821.tif 000003
【図２】
2004037821.tif 000004
【図３】
2004037821.tif 000005
【図４】
2004037821.tif 000006
【図５】
2004037821.tif 000007
【図６】
2004037821.tif 000008
【図７】
2004037821.tif 000009
【図８】
2004037821.tif 000010